(57)【要約】【課題】ユーザーの操作に基づいて変更された画面設定を印刷設定に反映させる。【解決手段】印刷設定に基づいて用紙上に画像を形成して印刷物として出力する画像形成装置を制御する印刷制御装置は、画像を表示する表示部の画面設定を変更させるためにユーザーによって行われた操作の情報である操作情報を取得する操作情報取得部と、操作情報取得部が取得した操作情報を、該操作情報に対応付けられた印刷設定に変換する印刷設定変換部と、画像形成装置に出力する出力部と、を備える。【選択図】図２
2019046024.tif 000002
【特許請求の範囲】
【請求項１】
印刷設定に基づいて用紙上に画像を形成して印刷物として出力する画像形成装置を制御する印刷制御装置において、
前記画像を表示する表示部の画面設定を変更させるためにユーザーによって行われた操作の情報である操作情報を取得する操作情報取得部と、
前記操作情報取得部が取得した前記操作情報を、該操作情報に対応付けられた印刷設定に変換する印刷設定変換部と、
前記操作情報が変換された前記印刷設定を、前記画像形成装置に出力する出力部と、を備えたことを特徴とする
印刷制御装置。
【請求項２】
前記操作情報取得部により取得される前記操作情報には、前記表示部の画面上における前記画像の表示倍率の情報が少なくとも含まれる
請求項１に記載の印刷制御装置。
【請求項３】
前記印刷設定変換部は、前記操作情報取得部が取得した前記操作情報をそのまま前記印刷設定に変換する
請求項２に記載の印刷制御装置。
【請求項４】
前記操作情報の統計情報を管理する操作情報管理データベースをさらに備え、
前記印刷設定変換部は、前記操作情報管理データベースで管理される前記操作情報の統計情報に基づいて、前記操作情報を前記印刷設定に変換する
請求項２に記載の印刷制御装置。
【請求項５】
前記印刷設定変換部は、前記操作情報管理データベースで管理される統計件数が最も多い前記操作情報に基づいて前記印刷設定を変更する
請求項４に記載の印刷制御装置。
【請求項６】
前記操作情報取得部は、前記表示部の画面を視聴している前記ユーザーの目の位置から前記表示部の画面の位置までの距離である視距離を測定する視距離測定部によって測定された前記視距離が、予め定められた所定の閾値距離と一致した場合に、前記視距離における操作情報を取得する
請求項２に記載の印刷制御装置。
【請求項７】
前記視距離を前記所定の閾値距離に一致させるための操作又は動作を行うことを前記ユーザーに促す通知部をさらに備える
請求項６に記載の印刷制御装置。
【請求項８】
前記印刷設定変換部は、前記ユーザーからの指示が入力される操作部に対して、前記ユーザーより印刷実行の指示が入力されたタイミングで、前記操作情報取得部から前記操作情報を取得する
請求項１〜７のいずれか一項に記載の印刷制御装置。
【請求項９】
画像を表示する表示部の画面設定を変更させるためにユーザーによって行われた操作の情報である操作情報を取得する操作情報取得部と、
前記操作情報取得部が取得した前記操作情報を、該操作情報に対応付けられた印刷設定に変換する印刷設定変換部と、
前記操作情報が変換された前記印刷設定に基づいて、前記画像を画像データに変換する画像形成部と、
前記画像形成部で生成された画像データに基づく画像を、用紙上に形成して印刷物として出力する印字部と、を備えたことを特徴とする
画像形成装置。
【請求項１０】
ユーザーによって操作される携帯端末と、前記携帯端末と通信可能に接続された画像形成装置とを有する画像形成システムにおいて、
前記携帯端末は、
画像を表示する表示部の画面設定を変更させるためにユーザーによって行われた操作の情報である操作情報を取得する操作情報取得部と、
前記操作情報取得部が取得した前記操作情報を、前記画像形成装置に送信する通信部と、を備え、
前記画像形成装置は、
前記携帯端末から送信された前記操作情報を該操作情報に対応付けられた印刷設定に変換する印刷設定変換部と、
前記操作情報が変換された前記印刷設定に基づいて、前記画像を画像データに変換する画像形成部と、
前記画像形成部で生成された画像データに基づく画像を、用紙上に形成して印刷物として出力する印字部と、を備えたことを特徴とする
画像形成システム。
【請求項１１】
ユーザーによって操作される携帯端末と、前記携帯端末と通信可能に接続された画像形成装置とを有する画像形成システムにおいて、
前記携帯端末は、
画像を表示する表示部の画面設定を変更させるためにユーザーによって行われた操作の情報である操作情報を取得する操作情報取得部と、
前記操作情報取得部が取得した前記操作情報を、該操作情報に対応付けられた印刷設定に変換する印刷設定変換部と、
前記印刷設定変換部によって前記操作情報が変換された前記印刷設定を、前記画像形成装置に送信する通信部と、を備え、
前記画像形成装置は、
前記携帯端末から送信された前記印刷設定に基づいて、前記画像を画像データに変換する画像形成部と、
前記画像形成部で生成された画像データに基づく画像を、用紙上に形成して印刷物として出力する印字部と、を備えたことを特徴とする
画像形成システム。
【請求項１２】
画像を表示する表示部の画面設定を変更させるためにユーザーによって行われた操作の情報である操作情報を取得することと、
前記取得した前記操作情報を、該操作情報に対応付けられた印刷設定に変換することと、
前記操作情報が変換された前記印刷設定に基づいて用紙上に画像を形成して印刷物として出力する画像形成装置に出力することと、を含む
印刷設定変更方法。
【発明の詳細な説明】
【技術分野】
【０００１】
本発明は、印刷制御装置、画像形成装置、画像形成システム及び印刷設定変更方法に関する。
【背景技術】
【０００２】
スマートフォン等の情報端末の画面を閲覧する際、ユーザーは、画面の表示サイズを拡大又は縮小したり、画面に表示された文字のフォントサイズを変更したりする操作を行うことがある。このような操作を行うことにより、ユーザーは、画面設定を、ユーザー自身の癖や好みを反映させた距離又は姿勢で、閲覧もしくは操作しやすいものに変更する。
【０００３】
しかしながら、画面に表示された文字又は画像を印刷する場合、印刷は文字又は画像のサイズが固定された状態で行われるため、ユーザーによって画面設定が変更された場合であっても、出力される印刷物には、ユーザーによって変更された画面設定は反映されない。したがって、出力された印刷物に印刷された画像又は文字の大きさがユーザーにとって見にくいものであった場合には、ユーザーは、プリンタドライバ等を用いて、用紙に印字される文字又は画像の印刷倍率を変更する必要がある。もしくは、ユーザーは、印刷物に印字された内容が見やすくなるように、紙面と目との間の距離（以下、「視距離」と称する）を、通常の紙面閲覧時とは異なる距離に変更する必要がある。
【０００４】
例えば、特許文献１には、携帯型端末内に予め記憶された、印刷濃度、色合い又は拡大／縮小率等を規定した設定情報に基づいて、画像形成装置が画像データに画像処理を施すとともに、該画像データを被記録媒体に形成する画像形成システムが開示されている。特許文献１に記載の技術によれば、自分の好みに合った設定項目を予め携帯型端末に設定しておくことにより、ユーザーは、自分の好みの印刷設定を反映した画像を被記録媒体に形成させることができる。
【先行技術文献】
【特許文献】
【０００５】
【特許文献１】特開２０１６−２２１８００号公報
【発明の概要】
【発明が解決しようとする課題】
【０００６】
しかしながら、特許文献１に記載の技術では、ユーザーが、自らにとって視認性の高い画像表示に画面設定を変更する操作を行った場合には、その操作に基づいて変更された画面設定の内容は、印刷物に印字される文字及び／又は画像には反映されない。
【０００７】
本発明はこのような状況に鑑みて成されたものであり、本発明の目的は、ユーザーの操作に基づいて変更された画面設定を印刷設定に反映させることにある。
【課題を解決するための手段】
【０００８】
本発明の一側面を反映した印刷制御装置は、印刷設定に基づいて用紙上に画像を形成して印刷物として出力する画像形成装置を制御する印刷制御装置であり、操作情報取得部と、印刷設定変換部と、出力部とを備える。操作情報取得部は、画像を表示する表示部の画面設定を変更させるためにユーザーによって行われた操作の情報である操作情報を取得する。印刷設定変換部は、操作情報取得部が取得した操作情報を該操作情報に対応付けられた印刷設定に変換する。出力部は、操作情報が変換された印刷設定を、画像形成装置に出力する。
【０００９】
また、本発明の一側面を反映した画像形成装置は、操作情報取得部と、印刷設定変換部と、画像形成部と、印字部とを備える。操作情報取得部は、画像を表示する表示部の画面設定を変更させるためにユーザーによって行われた操作の情報である操作情報を取得する。印刷設定変換部は、操作情報取得部が取得した操作情報を該操作情報に対応付けられた印刷設定に変換する。画像形成部は、携帯端末から送信された印刷設定に基づいて、画像を画像データに変換する。印字部は、画像形成部で生成された画像データに基づく画像を、用紙上に形成して印刷物として出力する。
【００１０】
また、本発明の一側面を反映した画像形成システムは、ユーザーによって操作される携帯端末と、携帯端末と通信可能に接続された画像形成装置とを有する。携帯端末は、操作情報取得部と、通信部とを備える。操作情報取得部は、画像を表示する表示部の画面設定を変更させるためにユーザーによって行われた操作の情報である操作情報を取得する。通信部は、操作情報取得部が取得した操作情報を、画像形成装置に送信する。画像形成装置は、印刷設定変換部と、画像形成部と、印字部とを備える。印刷設定変換部は、携帯端末から送信された操作情報を該操作情報に対応付けられた印刷設定に変換する。画像形成部は、操作情報が変換された印刷設定に基づいて、画像を画像データに変換する。印字部は、画像形成部で生成された画像データに基づく画像を、用紙上に形成して印刷物として出力する。
【００１１】
また、本発明の一側面を反映した画像形成システムは、ユーザーによって操作される携帯端末と、携帯端末と通信可能に接続された画像形成装置とを有する。携帯端末は、操作情報取得部と、印刷設定変換部と、通信部とを備える。操作情報取得部は、画像を表示する表示部の画面設定を変更させるためにユーザーによって行われた操作の情報である操作情報を取得する。印刷設定変換部は、操作情報取得部が取得した操作情報を該操作情報に対応付けられた印刷設定に変換する。通信部は、印刷設定変換部によって操作情報が変換された印刷設定を、画像形成装置に送信する。画像形成装置は、画像形成部と、印字部とを備える。画像形成部は、携帯端末から送信された印刷設定に基づいて、画像を画像データに変換する。印字部は、画像形成部で生成された画像データに基づく画像を、用紙上に形成して印刷物として出力する。
【００１２】
また、本発明の一側面を反映した印刷設定変更方法は、まず、画像を表示する表示部の画面設定を変更させるためにユーザーによって行われた操作の情報である操作情報を取得する。次いで、操作情報取得部が取得した操作情報を該操作情報に対応付けられた印刷設定に変換する。次いで、操作情報が変換された印刷設定を、印刷設定に基づいて用紙上に画像を形成して印刷物として出力する画像形成装置に出力する。
【発明の効果】
【００１３】
本発明によれば、ユーザーの操作に基づいて変更された画面設定が印刷設定に反映される。上記した以外の課題、構成及び効果は、以下の実施形態の説明により明らかにされる。
【図面の簡単な説明】
【００１４】
【図１】本発明の第１の実施形態に係る画像形成システムの全体構成例を示す説明図である。
【図２】本発明の第１の実施形態に係る画像形成システムの構成例を示すブロック図である。
【図３】本発明の第１の実施形態に係る携帯端末におけるレイアウト設定メニューの構成例を示す説明図である。
【図４】本発明の第１の実施形態に係る所定のレイアウト設定メニューの選択時における表示操作部の画面での表示例と印刷結果との対応を示す説明図である。
【図５】本発明の第１の実施形態に係る操作情報印刷設定変換テーブルの構成例を示す説明図である。
【図６】本発明の第１の実施形態に係る操作情報管理データベースの構成例を示す説明図である。
【図７】本発明の第１の実施形態に係る、操作情報取得部による操作情報管理データベースの更新処理手法の手順を示すフローチャートである。
【図８】本発明の第１の実施形態に係る、印刷設定変換部による操作情報の印刷設定への変換処理手法の手順を示すフローチャートである。
【図９】本発明の第１の実施形態に係る、操作情報取得部での視距離及び画面の表示倍率の測定手法の概要を示す説明図である。
【図１０】本発明の第１の実施形態に係る、操作情報取得部での視距離及び画面の表示倍率の取得手法の手順を示すフローチャートである。
【図１１】本発明の第１の実施形態に係る、画像形成装置の画像形成部及び印字部による印刷処理手法の手順を示すフローチャートである。
【図１２】本発明の第２の実施形態に係る画像形成システムの構成例を示すブロック図である。
【図１３】本発明の第２の実施形態に係る、携帯端末の制御部による操作情報取得手法、及び、取得した操作情報の画像形成装置への送信手法の手順を示すフローチャートである。
【図１４】本発明の第２の実施形態に係る、画像形成装置の印刷設定変換部による印刷設定手法、及び、画像形成部及び印字部による印刷処理手法の手順を示すフローチャートである。
【図１５】本発明の第３の実施形態に係る画像形成システムの構成例を示すブロック図である。
【図１６】本発明の第４の実施形態に係る画像形成システムの構成例を示すブロック図である。
【図１７】本発明の第２〜第４の実施形態に係る、レイアウト設定が「見たまま」に設定された場合における、操作パネルの画面の表示例と印刷結果との対応例を示す説明図である。
【図１８】本発明の第２〜第４の実施形態に係る、レイアウト設定が「オフ」である場合における、操作パネルの画面の表示例と印刷結果との対応例を示す説明図である。
【図１９】変形例に係る、表示操作部の画面に表示されている画像の、画像データにおける位置情報の例を示す説明図である。
【発明を実施するための形態】
【００１５】
以下、本発明を実施するための形態例について、添付図面を参照して説明する。
【００１６】
＜第１の実施形態＞
［画像形成システムの全体構成］
まず、図１を参照して、本発明の第１の実施形態に係る画像形成システム１００の全体構成例について説明する。図１は、本発明の第１の実施形態に係る画像形成システム１００の全体構成例を示す説明図である。
【００１７】
画像形成システム１００は、用紙に画像を形成して印刷物Ｐｒとして出力する画像形成装置１と、ユーザーＵによって操作される携帯端末２とを備える。画像形成装置１は、例えば、スキャナー、プリンター等の機能を備えた複合機（ＭＦＰ：Multi-functional peripherals）として構成される。
【００１８】
携帯端末２は、例えば、スマートフォンやタブレット等のスマートデバイス、携帯電話機等で構成され、表示操作部２２を備える。表示操作部２２は、例えば、画像を表示するＬＣＤ（Liquid Crystal Display）等よりなる表示部と、ユーザーＵによる操作が入力されるタッチセンサー（操作部の一例）とが一体に形成されたタッチパネルで構成される。
【００１９】
画像形成装置１及び携帯端末２は、互いに無線による通信が可能に接続される。携帯端末２は、印刷設定及び印刷データよりなる印刷ジョブと、操作情報が反映された印刷設定とを、無線通信を介して画像形成装置１に送信する。操作情報は、印刷設定の内容を変更する際に必要となる情報である。具体的には、操作情報には、表示操作部２２に対するユーザーＵの操作に基づいて変更された画面設定の情報（画面の表示倍率、文字ポイントサイズ等）や、使用中（表示操作部２２の画面に表示中）のアプリケーションの種類の情報、表示操作部２２の画面からユーザーＵの目までの視距離Ｄの情報等がある。
【００２０】
画像形成装置１は、携帯端末２又は不図示のＰＣ（Personal Computer）等から受信した印刷ジョブに基づいて用紙に画像を形成し、画像が形成された印刷物Ｐｒを排紙トレイ１６に出力する。画像形成装置１は、携帯端末２から、印刷ジョブとともに、操作情報が反映された印刷設定を受信した場合には、受信した印刷設定に基づいて画像を用紙に形成する。
【００２１】
［画像形成システムの構成］
次に、図２を参照して、本発明の第１の実施形態に係る画像形成システム１００の構成例について説明する。図２は、本発明の第１の実施形態に係る画像形成システム１００の構成例を示すブロック図である。
【００２２】
（画像形成装置の構成例）
まず、画像形成システム１００に含まれる画像形成装置１の構成例について説明し、続いて、携帯端末２の構成例について説明する。画像形成装置１は、画像読取部１１、操作パネル１２、画像処理部１３、画像形成部１４、印字部１５、通信Ｉ／Ｆ（インターフェース）部１７、制御部１８及び記憶部１９を備える。
【００２３】
画像読取部１１は、原稿台上の原稿から画像を光学的に読み取り、読み取った画像をＡ／Ｄ変換してスキャンデータを生成する。操作パネル１２は、例えばタッチパネル構成される。操作パネル１２は、画像形成装置１と一体に形成されていてもよく、画像形成装置１に対して着脱可能に取り付けられていてもよい。
【００２４】
画像処理部１３は、画像読取部１１や通信Ｉ／Ｆ部１７等を介して入力された入力画像データ、又は、画像読取部１１から入力されたスキャンデータに対して、シェーディング補正、色変換、階調補正等を施して画像形成部１４に出力する。
【００２５】
画像形成部１４は、画像処理部１３から入力された画像データを、印字部１５で印刷可能な画像データ（ビットマップ画像等）に変換する。印字部１５は、画像形成部１４で生成された画像データを用紙に印字する。
【００２６】
通信Ｉ／Ｆ部１７は、不図示のネットワークコントローラーを介して携帯端末２との間で行われる無線通信の制御を行う。制御部１８は、例えばＣＰＵ（Central Processing Unit）等で構成され、画像形成装置１を構成する各部の動作を制御する。
【００２７】
記憶部１９は、例えばＲＡＭ（Random Access Memory）、ＨＤＤ（Hard Disk Drive）等で構成される。記憶部１９には、画像読取部１１で読み取って得た原稿の画像データや、印刷物Ｐｒとして出力済みの画像データ、文書作成アプリケーション又はＷｅｂアプリケーション等の各種アプリケーション、プリンタドライバ等が記憶される。
【００２８】
（携帯端末の構成例）
携帯端末２は、通信Ｉ／Ｆ部２１（通信部の一例）、表示操作部２２（表示部、通知部の一例）、距離センサー２３（視距離測定部の一例）、制御部２４、記憶部２５及びスピーカー２６（通知部の一例）を備える。通信Ｉ／Ｆ部２１は、不図示のネットワークコントローラーを介して画像形成装置１との間で行われる無線通信の制御を行う。
【００２９】
表示操作部２２は、タッチパネル等で構成され、文字及び／又は画像等を画面上に表示する。また、表示操作部２２には、ユーザーＵによる操作が入力される。ユーザーＵによる操作には、例えば、記憶部１９に記憶された不図示の文書アプリケーション、Ｗｅｂアプリケーション等を起動する操作や、これらのアプリケーションによって画面に表示された文字及び／又は画像の画面設定を変更する操作、印刷の実行を指示する操作等がある。表示操作部２２は、ユーザーＵから入力された操作の情報を制御部２４に出力する。
【００３０】
距離センサー２３は、例えば不図示のカメラ及び画像解析部等よりなる。カメラは、表示操作部２２の画面と同一の面の画面の形成領域以外の領域に配置される。そして、距離センサー２３は、表示操作部２２の画面を視聴中のユーザーＵの視距離Ｄ（図１参照）を測定する。
【００３１】
制御部２４は、例えばＣＰＵ等で構成され、携帯端末２を構成する各部の動作を制御する。例えば、制御部２４は、文書作成アプリケーション、Ｗｅｂアプリケーション、プリンタドライバ等の動作を制御する。また制御部２４は、操作情報取得部２４１及び印刷設定変換部２４２を備える。
【００３２】
操作情報取得部２４１は、制御部２４から操作情報を取得する。操作情報取得部２４１が取得する操作情報には、例えば、ピンチイン又はピンチアウト等の画面の拡大／縮小に関するユーザーＵによる操作の情報、表示操作部２２の画面の表示倍率の情報、文字のポイントサイズの情報、視距離Ｄの情報等がある。さらに、操作情報には、使用中のアプリケーションの種類の情報、アプリケーションの使用時間の情報、印刷のレイアウト設定メニューでユーザーＵによって選択された項目の情報等がある。印刷のレイアウト設定メニューの構成例については、次の図３を参照して詳述する。
【００３３】
印刷設定変換部２４２は、操作情報取得部２４１が取得した操作情報に含まれる画面の表示倍率及び／又は文字ポイントサイズ等の値を、対応する印刷設定用の値（以下「印刷設定情報」と称する）に変換し、変換した印刷設定情報を印刷設定に反映させる。操作情報が反映された印刷設定は、制御部２４による制御に基づいて、通信Ｉ／Ｆ２１を介して画像形成装置１に送信される。
【００３４】
印刷設定変換部２４２による操作情報取得部２４１からの操作情報の取得、及び、取得した操作情報の印刷設定への変換処理は、例えば、印刷の実行直前、すなわち、ユーザーＵより印刷を実行させるための指示（以下「印刷指示」と称する）が表示操作部２２に入力されるタイミングで行われる。なお、印刷設定変換部２４２が操作情報を取得して印刷設定に変換する処理の実行タイミングは、印刷実行直前のタイミング以外の任意のタイミングであってもよい。
【００３５】
本実施形態において、操作情報取得部２４１及び印刷設定変換部２４２は、例えば、文書作成アプリケーション、Ｗｅｂアプリケーション又はプリンタドライバが有する機能の１つとして実現される。
【００３６】
記憶部２５は、例えばＲＡＭ、ＨＤＤ等で構成される。記憶部２５には、操作情報印刷設定変換テーブルＴ及び操作情報管理ＤＢ（データベース）Ｄｂが記憶される。操作情報印刷設定変換テーブルＴは、操作情報と印刷設定とを対応付けて管理するテーブルである。操作情報印刷設定変換テーブルＴの詳細については、図５を参照して後述する。
【００３７】
操作情報管理ＤＢ Ｄｂは、印刷設定変換部２４２が印刷設定情報に変換すべき操作情報を選択する場合に参照するデータベースであり、レイアウト設定の各メニュー項目と、操作情報に含まれる各情報とが対応付けられて管理される。操作情報管理ＤＢ Ｄｂの詳細については、図６を参照して後述する。
【００３８】
スピーカー２６は、警告音又は通知音等を構成する各種電気信号を音に変換して携帯端末２の外部に放音する。
【００３９】
［レイアウト設定メニューの構成及び設定例］
次に、図３及び図４を参照して、携帯端末２におけるレイアウト設定メニューの構成例及び設定例について説明する。図３は、携帯端末２におけるレイアウト設定メニューの構成例を示す説明図であり、図４は、所定のレイアウト設定メニューの選択時における表示操作部２２の画面での表示例と印刷結果との対応を示す説明図である。
【００４０】
まず、図３を参照して、携帯端末２におけるレイアウト設定メニューの構成例について説明する。図３には、携帯端末２の画面上に配置された「Ｐｒｉｎｔ設定」のアプリケーションのアイコンＩが表示される。また、図３には、ユーザーＵによって選択された後表示される画面Ｓｃ１と、レイアウト設定メニューの中からユーザーＵによって「おまかせ」が選択された場合に表示される画面Ｓｃ２とが示される。
【００４１】
「Ｐｒｉｎｔ設定」メニューは、ユーザーＵが印刷の設定を行うためのメニューであり、図３に示す例では、「用紙サイズ」、「用紙種類」、「部数」及び「レイアウト」の各項目で構成される。
【００４２】
「レイアウト」は、印刷物Ｐｒのレイアウト設定を選択するためのメニュー項目であり、図３に示す例では、「オフ」、「おまかせ」、「見たまま」、「視力悪化防止」、「満員電車」及び「距離（ｃｍ）」の各項目で構成される。
【００４３】
「オフ」は、「レイアウト」の機能をオフにするためのメニュー項目である。ユーザーＵによって「オフ」が選択された場合には、「レイアウト」の各メニュー項目で設定された印刷設定は印刷出力に対して有効化されず、ユーザーＵが画面で閲覧中の文書（印刷データ）に元々設定されている印刷設定が印刷出力に反映される。なお、ここでは「オフ」のメニュー項目の選択が、ユーザーＵによって手動で行われる例を挙げるが、本発明はこれに限定されない。例えば、「オフ」のメニュー項目の選択又は非選択が、印刷データの種類やフォーマット等に応じて、自動的に切り替えられるようにしてもよい。
【００４４】
「おまかせ」は、携帯端末２の表示操作部２２の画面設定として、ユーザーＵによってこれまでに一番多く設定された画面設定を印刷設定に反映させるためのメニュー項目である。これまでに一番多く設定された画面設定の情報は、操作情報印刷設定変換テーブルＴ（図２参照）で管理される。
【００４５】
「見たまま」は、その時点でユーザーＵによって閲覧されている画面の画面設定（表示倍率及び文字ポイントサイズ）をそのまま印刷設定に反映させるためのメニュー項目である。
【００４６】
「視力悪化防止」は、視距離Ｄをハーモン距離（所定の閾値距離の一例）と等しくした場合に、ユーザーＵが最も見やすい（視認性が高い）印刷レイアウトで印刷を行うことを可能とするメニュー項目である。ハーモン距離は、目に負担をかけることなく画面もしくは紙面上の文字を読むために最適な距離とされる距離であり、ユーザーＵが握りこぶしを作った場合のこぶしの先端部から肘までの距離（約３０ｃｍ）として定義される。ハーモン距離で最も見やすい画面設定はユーザーＵによって異なるものであり、このメニューの実行の前の段階で、操作情報取得部２４１が予め取得しておく必要がある。操作情報取得部２４１によるハーモン距離で最も見やすい画面設定の情報の取得手法については、後述の図１０及び図１１を参照して詳述する。
【００４７】
「満員電車」は、満員電車に乗車している最中にユーザーＵが最も見やすい画面設定を、印刷設定に反映させることを可能とするメニュー項目である。満員電車に乗車中は、ユーザーＵの視距離Ｄは通常時よりも短くなると考えられる。「満員電車」のメニュー項目の選択時には、そのような短い視距離ＤにおいてユーザーＵが最も見やすい画面設定が、印刷設定に反映される。
【００４８】
「距離（ｃｍ）」は、視距離ＤがユーザーＵによって指定された任意の距離（ｃｍ）である場合において、ユーザーＵにとって最も見やすい画面設定を、印刷設定に反映させるためのメニュー項目である。
【００４９】
図４Ａに、「オフ」が選択された場合の表示操作部２２の画面の表示例と印刷結果との対応例を示し、図４Ｂに、「レイアウト」のメニューの中から、ユーザーＵによって「おまかせ」が選択された場合の、表示操作部２２の画面の表示例と印刷結果との対応例を示す。
【００５０】
まず、図４Ａを参照して、「オフ」選択時の表示例について説明する。図４Ａの左側に示す、携帯端末２の表示操作部２２の画面においては、「春はあけぼの。やうやう白くなりゆく山際・・・」の文書が、ユーザーＵの操作によって所定の倍率で拡大された状態で表示されている。このように表示倍率を拡大させる操作は、ユーザーＵが、自身の癖や好みを反映させた距離又は姿勢で、閲覧もしくは操作しやすい画面表示に調整する意図で行われた可能性が高いと考えられる。
【００５１】
図４Ａの右側に示す印刷結果、すなわち、印刷物Ｐｒの表示例においては、「春はあけぼの・・・」の文字が、文書に対して元々設定された印刷設定を反映した小さな（拡大されていない）サイズで印字されている。レイアウトのメニュー項目中の「オフ」の項目が選択されているため、ユーザーＵが携帯端末２の表示操作部２２に対して操作を行うことによって変更された画面設定が、印刷設定に反映されていないためである。
【００５２】
従来の技術を用いた場合にも、ユーザーＵによる操作に基づいて変更された画面設定は印刷設定には反映されず、印刷物Ｐｒに印字される文字サイズは、図４Ａの右側に示すように、文書に対して元来設定された印刷設定に基づいたサイズとなる。
【００５３】
したがって、出力された印刷物に印刷された文字の大きさがユーザーＵにとって見にくいものであった場合には、ユーザーＵは、印刷物Ｐｒに印字される文字が、自分にとって見易い表示倍率及び／又は文字サイズ等になるように、印刷設定を変更し直す必要がある。もしくは、ユーザーＵは、印刷設定は変更せずに、印刷物に印字された内容が見やすくなるように、通常とは異なる視距離Ｄ（印刷物Ｐｒの紙面と目との間の距離）に変更する必要がある。変更した視距離Ｄが短すぎる場合には、ユーザーＵの視力の悪化を招いてしまう可能性もある。
【００５４】
一方、レイアウトの設定メニューにおいて「おまかせ」が選択された場合には、過去にユーザーＵの操作によって設定された画面設定のうち、設定の頻度が最も高かった画面設定が印刷設定に反映される。例えば、設定の頻度が最も高かった画面設定が、図４Ｂの左側の携帯端末２の表示操作部２２に示される画面設定（画面の表示倍率、文字サイズ等）であったとする。この場合、「おまかせ」の設定時の印刷物Ｐｒにおいては、図４Ｂの右側に示すように、図４Ｂの左側に示す携帯端末２の表示操作部２２に表示された文書と同じ文字の表示倍率や文字サイズで、文字が印字される。
【００５５】
これにより、ユーザーＵは、印刷設定を変更し直したり、視距離Ｄを通常とは異なる距離に変更したりすることなく、印刷物Ｐｒに印字される文字の表示倍率及び／又は文字サイズを、自分にとって見易いものとすることができる。
【００５６】
なお、レイアウトの設定メニューで「見たまま」が選択された場合であって、図４Ｂの左側に示す携帯端末２の表示操作部２２の画面設定が、その時点におけるユーザーＵの操作によって変更された場合にも、印字結果は図４Ｂの右側に示す例のようになる。つまり、「見たまま」の選択時には、その時点でユーザーＵによって閲覧されている画面の画面設定がそのまま印刷設定に反映されるため、携帯端末２の表示操作部２２で見たままの文字サイズで、印刷物Ｐｒの文字が印刷される。
【００５７】
なお、図４Ａ及び図４Ｂに示した例では、携帯端末２の表示操作部２２の画面に表示される（印刷される）内容が文字のみで構成される例を挙げたが、本発明はこれに限定されない。画面に表示される（印刷される）内容は、文字だけでなく画像を含むものであってもよい。
【００５８】
［操作情報印刷設定変換テーブルの構成例］
次に、図５を参照して、操作情報印刷設定変換テーブルＴの構成例について説明する。図５は、操作情報印刷設定変換テーブルＴの構成例を示す説明図である。操作情報印刷設定変換テーブルＴは、印刷設定変換部２４２（図２参照）が、ユーザーＵが画面設定を変更するために行った操作の情報（操作情報）を印刷設定情報に変換させる際に参照するテーブルである。
【００５９】
図５に示す操作情報印刷設定変換テーブルＴは、「操作情報」及び「印刷設定」の項目を有する。「操作情報」の項目は、携帯端末２の表示操作部２２の画面の表示倍率を示す「倍率（％）」、及び、表示操作部２２に表示された文字のサイズを示す「文字ポイントサイズ」の各項目で構成される。「印刷設定」は、印刷倍率を示す「倍率（％）」の項目を有する。そして、操作情報印刷設定変換テーブルＴでは、「操作情報」を構成する各項目の各値と、「印刷設定」の「倍率」の各値とが対応付けて管理される。
【００６０】
例えば、操作情報に含まれている表示倍率の“７０”（％）に対しては、“７０”（％）の印刷倍率が対応づけられている。操作情報に含まれている文字ポイントサイズの“１０”（ポイント）に対しては、“１００”（％）の印刷倍率が対応づけられている。なお、図５に示す対応例は一例であり、例えば、表示倍率に対して、倍率の大きい印刷倍率を対応付けてもよい。
【００６１】
［操作情報管理ＤＢの構成例］
次に、図６を参照して、操作情報管理ＤＢ Ｄｂの構成例について説明する。図６は、操作情報管理ＤＢ Ｄｂの構成例を示す説明図である。図６に示す操作情報管理ＤＢ Ｄｂは、「レイアウト設定」、「アプリケーション」、「倍率（％）」、「文字ポイントサイズ」、「回数」、「時間（ｈｏｕｒ）」、「視距離（ｍｍ）」及び「有効設定」の各項目を有する。
【００６２】
「レイアウト設定」は、「おまかせ」、「見たまま」、「視力悪化防止」、「満員電車」及び「距離」の各項目で構成される。「アプリケーション」の項目には、「おまかせ」又は「見たまま」の選択中に、ユーザーＵによって画面設定の変更操作が行われた際に使用（起動）中であったアプリケーションの種類が記録される。
【００６３】
「倍率（％）」には、携帯端末２の表示操作部２２の画面における文字又は画像の表示倍率（％）が記録され、「文字ポイントサイズ」には、携帯端末２の表示操作部２２の画面で表示されていた文字のポイントサイズが記録される。「回数」には、各表示倍率（％）及び文字ポイントサイズの組み合わせが選択（ユーザーＵによって設定）された回数が記録される。
【００６４】
「時間（ｈｏｕｒ）」には、各（表示）倍率（％）及び文字ポイントサイズの組み合わせで携帯端末２の表示操作部２２の画面に表示された内容が、ユーザーＵによって閲覧されていた時間（画面での表示時間）（ｈｏｕｒ）が記録される。
【００６５】
「視距離」には、各（表示）倍率（％）及び文字ポイントサイズの組み合わせで携帯端末２の表示操作部２２の画面に文字（及び／又は画像）を表示していた場合における、視距離Ｄ（ｍｍ）が記録される。
【００６６】
「有効設定」は、具体的には、過去にユーザーＵの操作によって設定された画面設定のうち、設定の頻度が最も高かった画面設定（（表示）倍率及び文字ポイントサイズの組み合わせ）を示す。図６に示す例では、アプリケーションの“Ｓａｆａｒｉ（登録商標）”使用時において、表示倍率が“１００”（％）、及び、文字ポイントサイズが“１０”（ポイント）の組み合わせの設定回数が“３０回”と最も多く、視聴時間を示す「時間」も“６（時間）”と最も長い。したがって、この表示倍率及び文字ポイントサイズの組み合わせが「有効設定」に設定されており、これらの設定を含むレコードに、丸印が付与されている。そして、「おまかせ」のメニュー項目の選択時には、これらの設定が有効化されて、印刷設定に反映される。
【００６７】
なお、本実施形態では、設定の頻度が最も高かった画像設定を「有効設定」に選択する例を挙げたが、本発明はこれに限定されない。その他の所定の（任意の）条件を、「有効設定」に設定されるための条件として設定してもよい。
【００６８】
「レイアウト設定」の「見たまま」に対応付けられた「倍率」、「文字ポイントサイズ」及び「視距離」には、ユーザーＵがその時点で使用中のアプリケーションで使用されている値が格納される。
【００６９】
操作情報管理ＤＢ Ｄｂを構成する各項目の値は、携帯端末２の表示操作部２２に対してユーザーＵの操作が行われる毎に（表示操作部２２のタッチセンサーが反応する毎に）操作情報取得部２４１（図２参照）によって随時更新される。そして、操作情報取得部２４１によって随時更新されるこれらの操作情報は、操作情報管理ＤＢ Ｄｂで統計的な情報として管理される。
【００７０】
［操作情報取得部による操作情報管理ＤＢの更新処理の手法］
次に、図７を参照して、操作情報取得部２４１による操作情報管理ＤＢ Ｄｂの更新処理の手法について説明する。図７は、操作情報取得部２４１による操作情報管理ＤＢ Ｄｂの更新処理手法の手順を示すフローチャートである。
【００７１】
操作情報取得部２４１は、まず、表示操作部２２のタッチセンサーが反応したか否かを判定する（ステップＳ１）。ステップＳ１で、タッチセンサーが反応していないと判定された場合（ステップＳ１がＮＯ判定の場合）、操作情報取得部２４１は、ステップＳ１の判定を繰り返す。
【００７２】
一方、ステップＳ１で、表示操作部２２のタッチセンサーが反応したと判定された場合（ステップＳ１がＹＥＳ判定の場合）、操作情報取得部２４１は、制御部２４に問い合せを行って、制御部２４から操作情報を取得する（ステップＳ２）。
【００７３】
次いで、操作情報取得部２４１は、取得した操作情報が「ピンチアウト」を示すものであったか否か、すなわち、ユーザーＵがピンチアウト操作を行ったか否かを判定する（ステップＳ３）。ステップＳ３で、ユーザーＵがピンチアウト操作を行ったと判定された場合（ステップＳ３がＹＥＳ判定の場合）、操作情報取得部２４１は、現在使用中であるアプリケーション（図中では「アプリ」と表記）が何であるかを調べる（ステップＳ４）。
【００７４】
次いで、操作情報取得部２４１は、ステップＳ２のピンチアウト操作によって倍率が変更される前に行っていた、アプリケーションの使用時間の計測を終了し、倍率変更後のアプリケーション使用時間の計測を開始する（ステップＳ５）。
【００７５】
次いで、操作情報取得部２４１は、視距離Ｄを調べる（ステップＳ６）。次いで、操作情報取得部２４１は、携帯端末２の表示操作部２２の表示倍率を調べる（ステップＳ７）。次いで、操作情報取得部２４１は、携帯端末２の表示操作部２２の画面に表示されている文字のポイントサイズを調べる（ステップＳ８）。
【００７６】
次いで、操作情報取得部２４１は、調べて得た視距離Ｄ、表示倍率及び文字ポイントサイズを、操作情報管理ＤＢ Ｄｂに書き込む（ステップＳ９）。
【００７７】
ステップＳ３で、ユーザーＵはピンチアウト操作を行わなかったと判定された場合（ステップＳ３がＮＯ判定の場合）、操作情報取得部２４１は、取得した操作情報が「ピンチイン」を示すものであったか否かを判定する。すなわち、操作情報取得部２４１は、ユーザーＵがピンチインの操作を行ったか否かを判定する（ステップＳ１０）。
【００７８】
ステップＳ１０で、ユーザーＵがピンチイン操作を行ったと判定された場合（ステップＳ１０がＹＥＳ判定の場合）、操作情報取得部２４１は、現在使用中であるアプリケーションが何であるかを調べる（ステップＳ１１）。
【００７９】
次いで、操作情報取得部２４１は、ステップＳ１０のピンチアウト操作によって倍率が変更される前に行っていた、アプリケーションの使用時間の計測を終了し、倍率変更後のアプリケーション使用時間の計測を開始する（ステップＳ１２）。
【００８０】
次いで、操作情報取得部２４１は、視距離Ｄを調べる（ステップＳ１３）。次いで、操作情報取得部２４１は、携帯端末２の表示操作部２２の表示倍率を調べる（ステップＳ１４）。次いで、操作情報取得部２４１は、携帯端末２の表示操作部２２の画面に表示されている文字のポイントサイズを調べる（ステップＳ１５）。
【００８１】
次いで、操作情報取得部２４１は、ステップＳ９の処理を行う。つまり、調べて得た視距離Ｄ、表示倍率及び文字ポイントサイズを、操作情報管理ＤＢ Ｄｂに書き込む。
【００８２】
ステップＳ１０で、ユーザーＵはピンチイン操作を行わなかったと判定された場合（ステップＳ１０がＮＯ判定の場合）、操作情報取得部２４１は、取得した操作情報が「アプリケーションの起動」を示すものであったか否かを判定する。すなわち、操作情報取得部２４１は、ユーザーＵがアプリケーションを起動したか否かを判定する（ステップＳ１６）。
【００８３】
ステップＳ１６で、ユーザーＵがアプリケーションを起動したと判定された場合（ステップＳ１６がＹＥＳ判定の場合）、操作情報取得部２４１は、起動されたアプリケーションが何であるかを調べる（ステップＳ１７）。次いで、操作情報取得部２４１は、アプリケーション使用時間の計測を開始する（ステップＳ１８）。
【００８４】
次いで、操作情報取得部２４１は、視距離Ｄを調べる（ステップＳ１９）。次いで、操作情報取得部２４１は、携帯端末２の表示操作部２２の表示倍率を調べる（ステップＳ２０）。次いで、操作情報取得部２４１は、携帯端末２の表示操作部２２の画面に表示されている文字のポイントサイズを調べる（ステップＳ２１）。
【００８５】
次いで、操作情報取得部２４１は、ステップＳ９の処理を行う。つまり、調べて得た視距離Ｄ、表示倍率及び文字ポイントサイズを、操作情報管理ＤＢ Ｄｂに書き込む。
【００８６】
ステップＳ１６で、ユーザーＵはアプリケーションを起動していないと判定された場合（ステップＳ１６がＮＯ判定の場合）、操作情報取得部２４１は、取得した操作情報が「アプリケーションの終了」を示すものであったか否かを判定する。すなわち、操作情報取得部２４１は、ユーザーＵがアプリケーションを終了したか否かを判定する（ステップＳ２２）。
【００８７】
ステップＳ２２で、ユーザーＵはアプリケーションを終了したと判定された場合（ステップＳ２２がＹＥＳ判定の場合）、操作情報取得部２４１は、アプリケーションの使用時間の計測を終了する（ステップＳ２３）。次いで、操作情報取得部２４１は、計測を行っていたアプリケーションの使用時間を、操作情報管理ＤＢ Ｄｂに書き込む（ステップＳ２４）。ステップＳ２４の処理後、操作情報取得部２４１は、処理をステップＳ１に戻す。
【００８８】
ステップＳ２２で、ユーザーＵはアプリケーションを終了していないと判定された場合（ステップＳ２２がＮＯ判定の場合）、操作情報取得部２４１は、取得した操作情報が「アプリケーションの使用停止」を示すものであったか否かを判定する。すなわち、操作情報取得部２４１は、ユーザーＵがアプリケーションの使用を停止したか否かを判定する（ステップＳ２５）。
【００８９】
ステップＳ２５で、ユーザーＵはアプリケーションの使用を停止したと判定された場合（ステップＳ２５がＹＥＳ判定の場合）、操作情報取得部２４１は、アプリケーションの使用時間の計測を一旦停止する（ステップＳ２６）。ステップＳ２６の処理後、操作情報取得部２４１は、処理をステップＳ１に戻す。
【００９０】
ステップＳ２５で、ユーザーＵはアプリケーションの使用を一旦停止していないと判定された場合（ステップＳ２５がＮＯ判定の場合）、操作情報取得部２４１は、取得した操作情報が「アプリケーションの使用再開」を示すものであったか否かを判定する。すなわち、操作情報取得部２４１は、ユーザーＵがアプリケーションの使用を再開したか否かを判定する（ステップＳ２７）。
【００９１】
ステップＳ２７で、ユーザーＵはアプリケーションの使用を再開したと判定された場合（ステップＳ２７がＹＥＳ判定の場合）、操作情報取得部２４１は、アプリケーションの使用時間の計測を再開する（ステップＳ２８）。ステップＳ２８の処理後、操作情報取得部２４１は、処理をステップＳ１に戻す。
【００９２】
ステップＳ２７で、ユーザーＵはアプリケーションの使用を再開していないと判定された場合（ステップＳ２７がＮＯ判定の場合）、操作情報取得部２４１は、処理をステップＳ１に戻す。ステップＳ２７がＮＯ判定となるのは、ステップＳ２で取得した操作情報が、ピンチアウト又はピンチイン、アプリケーションの起動又は終了、アプリケーションの一旦停止又は再開のいずれでもない場合である。
【００９３】
［印刷設定変換部による操作情報の印刷設定への変換処理の手法］
次に、図８を参照して、印刷設定変換部２４２による操作情報の印刷設定への変換処理の手法について説明する。図８は、印刷設定変換部２４２による操作情報の印刷設定への変換処理手法の手順を示すフローチャートである。
【００９４】
印刷設定変換部２４２は、まず、ユーザーＵより印刷指示を受けたか否かを判定する（ステップＳ３１）。ステップＳ３１で、ユーザーＵから印刷指示を受けていないと判定された場合（ステップＳ３１がＮＯ判定の場合）、印刷設定変換部２４２は、ステップＳ３１の判定を繰り返す。一方、ステップＳ３１で、ユーザーＵから印刷指示を受けたと判定された場合（ステップＳ３１がＹＥＳ判定の場合）、印刷設定変換部２４２は、レイアウト設定が「オフ」になっているか否かを判定する（ステップＳ３２）。
【００９５】
ステップＳ３２で、レイアウト設定が「オフ」になっていると判定された場合（ステップＳ３２がＹＥＳ判定の場合）、印刷設定変換部２４２は、印刷設定及び印刷データを含む印刷ジョブを、通信Ｉ／Ｆ部２１を介して画像形成装置１に送信する（ステップＳ３３）。つまり、レイアウト設定が「オフ」になっている場合、ステップＳ３３では、操作情報が反映されていない印刷設定と、印刷データとを含む印刷ジョブが、画像形成装置１に送信される。
【００９６】
一方、ステップＳ３２で、レイアウト設定が「オフ」になっていないと判定された場合（ステップＳ３２がＮＯ判定の場合）、印刷設定変換部２４２は、レイアウト設定が何に設定されているかを判定する（ステップＳ３４）。
【００９７】
ステップＳ３４で、レイアウト設定は「見たまま」に設定されていると判定された場合、印刷設定変換部２４２は、操作情報取得部２４１から操作情報を取得する（ステップＳ３５）。次いで、印刷設定変換部２４２は、操作情報を印刷設定情報に変換して、変換した印刷設定情報を印刷設定に反映させる（ステップＳ３６）。
【００９８】
レイアウト設定が「見たまま」に設定されている場合、操作情報管理ＤＢ Ｄｂ（図６参照）の「見たまま」のメニュー項目に対応するレコードには、ユーザーＵがその時点で使用中のアプリケーションで使用されている設定が格納される。図６に示す操作情報管理ＤＢ Ｄｂでは、「見たまま」のメニュー項目に対応する「倍率（％）」には、“１４０”（％）が格納されており、「文字ポイントサイズ」には、“２０”（ポイント）が格納されている。よって、印刷設定変換部２４２は、操作情報印刷設定変換テーブルＴ（図５参照）を参照して、「倍率（％）」の“１４０”（％）を印刷設定における印刷倍率の“１４０”（％）に変換する。さらに、印刷設定変換部２４２は、“２０”ポイントの「文字ポイントサイズ」の印刷倍率を、印刷設定における文字ポイントサイズの印刷倍率である“１００”（％）に変換する。
【００９９】
ステップＳ３６の処理後、印刷設定変換部２４２は、印刷設定及び印刷データを含む印刷ジョブを、通信Ｉ／Ｆ部２１を介して画像形成装置１に送信する（ステップＳ３３）。つまり、レイアウト設定が「見たまま」に設定されている場合、ステップＳ３３では、その時点でユーザーＵが行っていた操作情報が反映された印刷設定と、印刷データとを含む印刷ジョブが、画像形成装置１に送信される。
【０１００】
ステップＳ３４で、レイアウト設定は「おまかせ」に設定されていると判定された場合、印刷設定変換部２４２は、操作情報取得部２４１から、使用（設定）頻度が最多の操作情報を取得する（ステップＳ３７）。本実施形態において、使用頻度が最多の操作情報は、操作情報管理ＤＢ Ｄｂ（図６参照）において「有効設定」に設定された操作情報である。ステップＳ３７の処理後、印刷設定変換部２４２は、取得した操作情報を印刷設定情報に変換して、変換した印刷設定情報を印刷設定に反映させる（ステップＳ３６）。
【０１０１】
図６に示す操作情報管理ＤＢ Ｄｂでは、「おまかせ」のメニュー項目で「有効設定」に設定されている表示倍率は、“１００”（％）であり、文字ポイントサイズは“１０”（ポイント）である。したがって、印刷設定変換部２４２は、ステップＳ３７で、操作情報としてこれらの値を取得する。
【０１０２】
そして、印刷設定変換部２４２は、ステップＳ３６で、操作情報印刷設定変換テーブルＴを参照して、「倍率（％）」の“１００”（％）を印刷設定における印刷倍率の“１００”（％）に変換する。さらに、印刷設定変換部２４２は、“１０”ポイントの「文字ポイントサイズ」の印刷倍率を、印刷設定における文字ポイントサイズの印刷倍率である“１００”（％）に変換する。
【０１０３】
ステップＳ３６の処理後、印刷設定変換部２４２は、印刷設定及び印刷データを含む印刷ジョブを、通信Ｉ／Ｆ部２１を介して画像形成装置１に送信する（ステップＳ３３）。つまり、レイアウト設定が「おまかせ」に設定されている場合、ステップＳ３３では、「有効設定」に設定された、使用（設定）頻度が最も多かった操作情報が反映された印刷設定と、印刷データとを含む印刷ジョブが、画像形成装置１に送信される。
【０１０４】
ステップＳ３４で、レイアウト設定は「見たまま」以外であり、かつ、「おまかせ」以外であると判定された場合、印刷設定変換部２４２は、そのレイアウト設定に対応する操作情報が操作情報管理ＤＢ Ｄｂ中に存在するか否かを判定する（ステップＳ３８）。図５に示す例では、レイアウト設定が「見たまま」でも「おまかせ」でもない場合は、すなわち、レイアウト設定が「視力悪化防止」、「満員電車」又は「距離」である場合である。
【０１０５】
ステップＳ３８で、操作情報が存在すると判定された場合（ステップＳ３８がＹＥＳ判定の場合）、印刷設定変換部２４２は、レイアウト設定に対応する操作情報を操作情報管理ＤＢ Ｄｂから取得する（ステップＳ３９）。
【０１０６】
次いで、印刷設定変換部２４２は、取得した操作情報を印刷設定情報に変換して、変換した印刷設定情報を印刷設定に反映させる（ステップＳ３６）。次いで、印刷設定変換部２４２は、印刷設定及び印刷データを含む印刷ジョブを、通信Ｉ／Ｆ部２１を介して画像形成装置１に送信する（ステップＳ３３）。つまり、レイアウト設定が「見たまま」でも「おまかせ」でもない場合であって、これらのレイアウト設定に対応する操作情報が操作情報管理ＤＢ Ｄｂ中に存在する場合には、ステップＳ３３では、レイアウト設定に対応する操作情報が反映された印刷設定と、印刷データとを含む印刷ジョブが、画像形成装置１に送信される。
【０１０７】
ステップＳ３８で、ステップＳ３４で判定したレイアウト設定に対応する操作情報が存在しないと判定された場合（ステップＳ３８がＮＯ判定の場合）、印刷設定変換部２４２は、視距離Ｄ及び画面の表示倍率を操作情報取得部２４１に測定させる（ステップＳ４０）。レイアウト設定が「見たまま」及び「おまかせ」以外の場合における、操作情報取得部２４１での視距離Ｄ及び画面の表示倍率の測定手法については、後述の図９及び図１０を参照して詳述する。
【０１０８】
次いで、印刷設定変換部２４２は、ステップＳ４０で操作情報取得部２４１が取得した操作情報を取得して、操作情報管理ＤＢ Ｄｂに格納する（ステップＳ４１）。次いで、印刷設定変換部２４２は、取得した操作情報を印刷設定情報に変換して、変換した印刷設定情報を印刷設定に反映させる（ステップＳ３６）。
【０１０９】
次いで、印刷設定変換部２４２は、印刷設定及び印刷データを含む印刷ジョブを、通信Ｉ／Ｆ部２１を介して画像形成装置１に送信する（ステップＳ３３）。つまり、レイアウト設定が「見たまま」でも「おまかせ」でもない場合であって、これらのレイアウト設定に対応する操作情報が操作情報管理ＤＢ Ｄｂ中に存在しない場合には、ステップＳ３３では、その時点でユーザーＵが行っていた操作情報が反映された印刷設定と、印刷データとを含む印刷ジョブが、画像形成装置１に送信される。
【０１１０】
［操作情報取得部での視距離及び画面の表示倍率の取得手法］
次に、図９及び図１０を参照して、レイアウト設定が「見たまま」及び「おまかせ」以外の場合における、操作情報取得部２４１での視距離Ｄ及び画面の表示倍率の測定手法について説明する。図９は、操作情報取得部２４１での視距離Ｄ及び画面の表示倍率の測定手法の概要を示す説明図であり、図１０は、操作情報取得部２４１での視距離Ｄ及び画面の表示倍率の取得手法の手順を示すフローチャートである。
【０１１１】
図９に、ユーザーＵが携帯端末２を保持している状態を示す。図９に示す例では、レイアウト設定として「視力悪化防止」が選択されており、ユーザーＵが携帯端末２によるガイドに従って、視距離Ｄ及び画面設定を変更する操作を行う場合を例を挙げる。
【０１１２】
レイアウト設定に「視力悪化防止」が設定されている場合、携帯端末２の操作情報取得部２４１は、視距離Ｄがハーモン距離（約３０ｃｍ）であるときにユーザーＵが最も見易い画面設定の情報を取得する。画面設定の情報を取得するために、操作情報取得部２４１は、視距離Ｄをハーモン距離と一致させるためのガイド、及び、好みの画面設定への変更を促すガイドを行う。これらのガイドは、表示操作部２２の画面におけるメッセージの表示、スピーカー２６（図２参照）からの通知音の放音等によって行うことができる。
【０１１３】
図９に示す例では、携帯端末２の表示操作部２２の画面上に、印刷プレビュー画面が表示されているとともに、印刷プレビュー画面の下方に、ＯＫボタンＢ１及びキャンセルボタンＢ２が表示されている。ＯＫボタンＢ１は、自分にとって最も見易い画面設定となったタイミングでユーザーＵによって押下されるボタンであり、キャンセルボタンＢ２は、操作内容をキャンセルする際にユーザーＵによって押下されるボタンである。
【０１１４】
次に、図１０を参照して、操作情報取得部２４１での視距離Ｄ及び画面の表示倍率の取得手法の手順について説明する。まず、操作情報取得部２４１は、ユーザーＵから印刷プレビュー画面の表示を指示する操作が入力されたか否かを判定する（ステップＳ５１）。ステップＳ５１で、印刷プレビュー画面の表示指示は入力されていないと判定された場合（ステップＳ５１がＮＯ判定の場合）、操作情報取得部２４１は、ステップＳ５１の判定を繰り返す。
【０１１５】
一方、ステップＳ５１で、印刷プレビュー画面の表示指示が入力されたと判定された場合（ステップＳ５１がＹＥＳ判定の場合）、操作情報取得部２４１は、印刷プレビュー画面を表示する（ステップＳ５２）。次いで、操作情報取得部２４１は、距離センサー２３を起動する（ステップＳ５３）。次いで、操作情報取得部２４１は、距離センサー２３で測定された視距離Ｄと、設定値とを比較する（ステップＳ５４）。ここで視距離Ｄと比較される設定値は、図５に示す例では、メニュー項目が「視力悪化防止」である場合には“３００”（ｍｍ）であり、「満員電車」である場合には“１００”（ｍｍ）であり、「距離」である場合には“８００”ｍｍである。
【０１１６】
次いで、操作情報取得部２４１は、視距離Ｄと設定値との大小関係を判定する（ステップＳ５５）。ステップＳ５５で、視距離Ｄが設定値よりも長い（ユーザーＵの顔が画面から遠い位置にある）と判定された場合、操作情報取得部２４１は、携帯端末２の画面に顔を近づけることを促すメッセージをユーザーＵに通知する（ステップＳ５６）。メッセージのユーザーＵへの通知は、例えば、表示操作部２２の画面に文章を表示したり、スピーカー２６（図２参照）から音声を放音したりすること等によって行うことができる。
【０１１７】
一方、ステップＳ５５で、視距離Ｄが設定値よりも短い（ユーザーＵの顔が画面から近い位置にある）と判定された場合、操作情報取得部２４１は、携帯端末２の画面から顔を遠ざけることを促すメッセージをユーザーＵに通知する（ステップＳ５７）。
【０１１８】
また、ステップＳ５５で、視距離Ｄが設定値に等しいと判定された場合、操作情報取得部２４１は、視距離Ｄを変更する操作を停止して、好みの画面設定となるように画面表示を拡大又は縮小することを促すメッセージを、ユーザーＵに通知する（ステップＳ５８）。このとき、操作情報取得部２４１が、スピーカー２６から「ピピピ」等の通知音を放音させることで、視距離Ｄが設定値と一致したことをユーザーＵに適切に把握させることができる。
【０１１９】
さらに、操作情報取得部２４１は、最も見易い画面設定となった場合にはＯＫボタンＢ１（図９参照）を押下するように、ユーザーＵに促すメッセージを表示又は放音する。そして、このメッセージを読んだ、あるいは聞いたユーザーＵは、自分が最も見易い画面設定となるように、画面表示を拡大又は縮小させる操作を行い、好みの画面設定となったところでＯＫボタンＢ１を押下する。
【０１２０】
次いで、操作情報取得部２４１は、ＯＫボタンＢ１の押下を検知したか否かを判定する（ステップＳ５９）。ステップＳ５９で、ＯＫボタンＢ１の押下が検知されなかった場合（ステップＳ５９がＮＯ判定の場合）、操作情報取得部２４１は、ステップＳ５９の判定を繰り返す。一方、ステップＳ５９で、ＯＫボタンＢ１の押下が検知された場合（ステップＳ５９がＹＥＳ判定の場合）、操作情報取得部２４１は、その時点における視距離Ｄ、表示倍率及び文字ポイントサイズを、操作情報管理ＤＢ Ｄｂに書き込む（ステップＳ６０）。
【０１２１】
操作情報取得部２４１は、図１０に手順を示した処理を行うことにより、レイアウト設定が「視力悪化防止」、「満員電車」又は「距離」に設定された場合における、各設定に対応する視距離Ｄ（＝設定値）でユーザーＵが最も見易い画面設定の情報を、容易にかつ適切に取得することができる。
【０１２２】
［画像形成装置による印刷処理の手法］
次に、図１１を参照して、画像形成装置１の画像形成部１４及び印字部１５による印刷処理の手法について説明する。図１１は、画像形成装置１の画像形成部１４及び印字部１５による印刷処理手法の手順を示すフローチャートである。
【０１２３】
まず、画像形成装置１の制御部１８は、携帯端末２から送信された印刷ジョブを、通信Ｉ／Ｆ１７（図２参照）が受信したか否かを判定する（ステップＳ７１）。ステップＳ７１で、印刷ジョブを受信していないと判定された場合（ステップＳ７１がＮＯ判定の場合）、制御部１８は、ステップＳ７１の判定を繰り返す。
【０１２４】
一方、ステップＳ７１で、印刷ジョブを受信したと判定された場合（ステップＳ７１がＹＥＳ判定の場合）、制御部１８の制御に基づいて、画像形成部１４は、印刷ジョブに基づいて印刷イメージ（画像データ）を生成する（ステップＳ７２）。
【０１２５】
次いで、印字部１５は、印刷処理を行う（ステップＳ７３）。すなわち、印字部１５は、画像形成部１４で生成された画像データを用紙上に画像として形成して、印刷物Ｐｒ（図１参照）として出力する。
【０１２６】
［各種効果］
上記第１の実施形態では、ユーザーＵが表示操作部２２の画面に対して行った、画面設定を変更するための操作の情報が、操作情報取得部２４１によって取得される。そして、操作情報取得部２４１で取得された操作情報は、印刷設定変換部２４２によって、操作情報に対応する印刷設定に変換される。したがって、ユーザーＵが、ユーザー自身の癖や好みを反映させた距離又は姿勢で、閲覧もしくは操作しやすい画面設定に変更する操作を表示操作部２２に入力した場合、その操作の内容が印刷設定に変換される。そして、操作情報が変換された印刷設定に基づいて画像形成装置１で印刷処理が行われる。それゆえ、上記第１の実施形態によれば、ユーザーＵの好みの画面設定を、印刷物Ｐｒの出力に反映させることができる。
【０１２７】
また、上記第１の実施形態の画像形成システム１００では、ユーザーＵが表示操作部２２の画面に対して行った操作に基づいて変更された画面の表示倍率の情報が、操作情報として操作情報取得部２４１によって取得される。そして、画面の表示倍率の情報を含む操作情報が、印刷設定変換部２４２によって印刷設定に変換される。それゆえ、上記第１の実施形態の画像形成システム１００によれば、ユーザーＵがピンチアウト又はピンチイン等の操作によって拡大又は縮小した画面の表示倍率が、印刷設定に反映される。
【０１２８】
また、上記第１の実施形態の画像形成システム１００では、レイアウト設定が「見たまま」に設定された場合に、印刷設定変換部２４２が、操作情報取得部２４１が取得した操作情報をそのまま印刷設定に変換する。そして、操作情報が変換された印刷設定に基づいて、画像形成装置１で印刷が行われる。それゆえ、上記第１の実施形態の画像形成システム１００によれば、ユーザーＵにとって最も視認性の高い画面表示を実現する画面設定が、そのまま印刷物Ｐｒの印刷設定に反映される。
【０１２９】
また、上記第１の実施形態の画像形成システム１００では、操作情報取得部２４１によって取得された操作情報は、操作情報管理ＤＢ Ｄｂによって統計的な情報として管理される。そして、印刷設定変換部２４２は、操作情報管理ＤＢ Ｄｂで統計的な情報として管理される操作情報を用いて、操作情報の印刷設定への変換処理を行う。そして、操作情報が変換された印刷設定に基づいて、画像形成装置１で印刷が行われる。したがって、上記第１の実施形態の画像形成システム１００によれば、ユーザーＵによって日常的に設定される画面設定の情報を、印刷設定に反映させることができる。
【０１３０】
また、上記第１の実施形態の画像形成システム１００では、印刷設定変換部２４２が、操作情報管理ＤＢ Ｄｂで管理される操作情報のうちの、ユーザーＵによって設定される頻度が最も高かった操作情報を抽出する。そして、印刷設定変換部２４２は、抽出した操作情報を印刷設定に変換する。したがって、上記第１の実施形態の画像形成システム１００によれば、ユーザーＵによってもっとも多く設定された、自らにとって最も視認性が高い画面設定が、印刷設定に反映される。
【０１３１】
また、上記第１の実施形態の画像形成システム１００では、操作情報取得部２４１は、ユーザーＵの視距離Ｄが所定の閾値距離（ハーモン距離等）に一致した場合に、操作情報を取得する。そして、印刷設定変換部２４２は、その操作情報を該操作情報に対応する印刷設定に変換する。さらに、画像形成装置１が、操作情報が変換された印刷設定に基づいて印刷処理を行う。それゆえ、上記第１の実施形態の画像形成システム１００によれば、ハーモン距離等の、その距離での視聴が視力悪化の防止に役立つとされる所定の閾値距離において、ユーザーＵがもっとも見易い画面の画面設定を、印刷設定に反映させることができる。
【０１３２】
これにより、ユーザーＵは、印刷物Ｐｒに目を不要に近づける等の、視力の悪化に繋がるような姿勢ではなく、ハーモン距離で、印刷物Ｐｒを見るようになる。つまり、本実施形態によれば、ユーザーＵが視距離Ｄをハーモン距離に一致させた状態で用紙上の文字及び／又は画像を見るように、仕向けることができる。
【０１３３】
また、上記第１の実施形態の画像形成システム１００では、ユーザーＵの視距離Ｄが所定の閾値距離（ハーモン距離等）に一致した場合に、その旨が、スピーカー２６からの通知音の放音等の手段を介してユーザーＵに通知される。したがって、上記第１の実施形態によれば、ユーザーＵの視距離Ｄがハーモン距離に一致した場合に、ユーザーＵはそのことを即時に把握することができる。
【０１３４】
また、上記第１の実施形態の画像形成システム１００では、印刷設定変換部２４２は、ユーザーＵから印刷実行の指示が入力されたタイミングで、操作情報取得部２４１から操作情報を取得する。したがって、上記第１の実施形態によれば、ユーザーＵの好みが反映された最新の操作情報が、印刷設定に反映される。
【０１３５】
＜その他の実施形態＞
なお、上述した第１の実施形態では、画像形成システム１００を携帯端末２及び画像形成装置１で構成し、携帯端末２が、操作情報の取得処理及び操作情報の印刷設定への変換処理を行い、画像形成装置１が、携帯端末２から送信された印刷設定に基づいて印刷処理を行う例を挙げた。しかしながら、本発明はこの実施形態に限定されず、その他の様々な実施形態を採りうる。
【０１３６】
例えば、画像形成システムを携帯端末及び画像形成装置で構成し、操作情報の取得機能を携帯端末に持たせ、操作情報の印刷設定への変換機能及び印刷機能を画像形成装置に持たせてもよい（第２の実施形態）。また、例えば、画像形成システムを画像形成装置、及び、該画像形成装置を制御する印刷制御装置で構成し、操作情報の取得機能及び操作情報の印刷設定への変換機能を印刷制御装置に持たせ、ユーザーＵからの操作の受付、ユーザーＵへの通知、及び、印刷機能を画像形成装置に持たせてもよい（第３の実施形態）。また、例えば、操作情報の取得機能、操作情報の印刷設定への変換機能、ユーザーＵからの操作の受付、及び、ユーザーＵへの通知機能を、画像形成装置にすべて持たせるようにしてもよい（第４の実施形態）。
【０１３７】
［第２の実施形態］
（画像形成システムの構成例）
まず、図１２を参照して、本発明の第２の実施形態に係る画像形成システム１００Ａの構成例について説明する。図１２は、本発明の第２の実施形態に係る画像形成システム１００Ａの構成例を示すブロック図である。なお、以下に説明する第２〜第４の実施形態において、第１の実施形態と対応する部分には同一の符号を付し、その詳細説明は省略する。
【０１３８】
図１２に示す画像形成システム１００Ａは、画像形成装置１Ａ及び携帯端末２Ａを備える。画像形成装置１Ａは、画像読取部１１、操作パネル１２、画像処理部１３、画像形成部１４、印字部１５、通信Ｉ／Ｆ部１７、制御部１８Ａ及び記憶部１９Ａを備える。そして、制御部１８Ａは、操作情報の印刷設定への変換処理を行う印刷設定変換部１８１を有し、記憶部１９Ａには、操作情報管理ＤＢ Ｄｂ及び操作情報印刷設定変換テーブルＴが記憶される。
【０１３９】
携帯端末２Ａは、通信Ｉ／Ｆ部２１、表示操作部２２、距離センサー２３、制御部２４Ａ、記憶部２５Ａ及びスピーカー２６を備える。制御部２４Ａは、操作情報の取得処理を行う操作情報取得部２４１のみを有する。そして、制御部２４Ａは、表示操作部２２に対してユーザーＵより印刷実行の指示が入力されたタイミングで、操作情報取得部２４１から操作情報を取得して、画像形成装置１００Ａに送信する。
【０１４０】
［印刷設定変換部による操作情報の印刷設定への変換処理の手法］
次に、図１３を参照して、携帯端末２Ａの制御部２４Ａによる操作情報取得処理及び取得した操作情報の画像形成装置１００Ａへの送信処理の手法を説明する。図１３は、携帯端末２Ａの制御部２４Ａによる操作情報取得処理及び取得した操作情報の画像形成装置１００Ａへの送信処理手法の手順を示すフローチャートである。
【０１４１】
図１３のステップＳ８１〜Ｓ８５、Ｓ８７〜Ｓ９１は、図８のステップＳ３１〜Ｓ３５、Ｓ３７〜Ｓ４１と同一であるため、説明は省略する。図１３に示すステップが図８に示すステップとで異なる点は、ステップＳ８６である。図１３のステップＳ８６に対応する図８のステップＳ３６では、携帯端末２側で操作情報を印刷設定に変換しているのに対し、図１３のステップＳ８６では、操作情報の印刷設定への変換は行われず、携帯端末２Ａから画像形成装置１Ａに対して、操作情報と印刷ジョブとが送信される。
【０１４２】
［画像形成装置による印刷処理の手法］
次に、図１４を参照して、画像形成装置１Ａの印刷設定変換部１８１による印刷設定手法、及び、画像形成部１４及び印字部１５による印刷処理手法について説明する。図１４は、画像形成装置１Ａの印刷設定変換部１８１による印刷設定手法、及び、画像形成部１４及び印字部１５による印刷処理手法の手順を示すフローチャートである。
【０１４３】
まず、画像形成装置１Ａの制御部１８Ａは、携帯端末２Ａから送信された印刷ジョブを、通信Ｉ／Ｆ１７が受信したか否かを判定する（ステップＳ１０１）。ステップＳ１０１で、印刷ジョブを受信していないと判定された場合（ステップＳ１０１がＮＯ判定の場合）、制御部１８Ａは、ステップＳ１０１の判定を繰り返す。
【０１４４】
一方、ステップＳ１０１で、印刷ジョブを受信したと判定された場合（ステップＳ１０１がＹＥＳ判定の場合）、制御部１８Ａは、印刷ジョブと一緒に、操作情報を受信したか否かを判定する（ステップＳ１０２）。ステップＳ１０２で、操作情報を受信したと判定された場合（ステップＳ１０２がＹＥＳ判定の場合）、印刷設定変換部１８１は、受信した操作情報を印刷設定に変換する（ステップＳ１０３）。
【０１４５】
次いで、画像形成部１４は、印刷ジョブに基づいて印刷イメージ（画像データ）を生成する（ステップＳ１０４）。次いで、印字部１５は、印刷処理を行う（ステップＳ１０５）。すなわち、印字部１５は、画像形成部１４で生成された画像データを用紙上に画像として形成して、印刷物Ｐｒとして出力する。
【０１４６】
一方、ステップＳ１０２で、操作情報を受信していないと判定された場合（ステップＳ１０２がＮＯ判定の場合）、制御部１８Ａは、ステップＳ１０４以降の処理を行う。
【０１４７】
つまり、上述の第２の実施形態においては、携帯端末２Ａでは、操作情報を画像形成装置１Ａに送信する処理が行われ、画像形成装置１Ａでは、携帯端末２Ａから送信された操作情報を印刷設定に変換する処理と、操作情報が変換された印刷設定に基づく印刷処理とが行われる。
【０１４８】
［第３の実施形態］
次に、図１５を参照して、本発明の第３の実施形態に係る画像形成システム１００Ｂの構成例について説明する。図１５は、本発明の第３の実施形態に係る画像形成システム１００Ｂの構成例を示すブロック図である。
【０１４９】
図１５に示す画像形成システム１００Ｂは、画像形成装置１Ｂ、ＰＣ又は携帯端末等で構成される端末装置３、及び、画像形成装置１Ｂの制御を行う印刷制御装置４を備える。
【０１５０】
画像形成装置１Ｂは、画像読取部１１、操作パネル１２、画像処理部１３、画像形成部１４、印字部１５、通信Ｉ／Ｆ部１７、制御部１８Ｂ、スピーカー２０及び距離センサー３０を備える。
【０１５１】
印刷制御装置４は、通信Ｉ／Ｆ部４１（出力部の一例）、制御部４２及び記憶部４３を備える。通信Ｉ／Ｆ部４１は、印刷データの送信元である端末装置３との間、又は、画像形成装置１Ｂとの間で無線又は有線による通信を介して行われる、データの送受信を制御する。制御部４２は、操作情報取得部４２１及び印刷設定変換部４２２を有する。記憶部４３には、操作情報管理ＤＢ Ｄｂ及び操作情報印刷設定変換テーブルＴが記憶される。
【０１５２】
本実施形態では、ユーザーＵによる画面設定の変更操作は、画像形成装置１Ｂの操作パネル１２に対して行われる。そして、画像形成装置１Ｂの制御部１８Ｂは、操作パネル１２に対して行われたユーザーＵの操作の情報と、距離センサー３０が計測した視距離Ｄの情報とを、通信Ｉ／Ｆ部１７を介して印刷制御装置４に送信する。
【０１５３】
印刷制御装置４では、操作情報取得部４２１が、画像形成装置１Ｂから送信された上記各情報を取得する。そして、印刷設定変換部４２２が、操作情報取得部４２１が取得した操作情報を印刷設定に変換するとともに、操作情報が変換された印刷設定及び印刷データよりなる印刷ジョブを生成して、通信Ｉ／Ｆ部１７を介して画像形成装置１Ｂに送信する。
【０１５４】
画像形成装置１Ｂでは、画像形成部１４が、印刷制御装置４から送信された印刷設定に基づいて画像データを生成し、印字部１５が、画像データを用紙に印字する。
【０１５５】
なお、図１５に示す例では、印刷制御装置４と画像形成装置１Ｂとがそれぞれ独立した装置として構成される例を挙げたが、本発明はこれに限定されない。印刷制御装置４を、画像形成装置１Ｂの内部に構成してもよい。
【０１５６】
また、第３の実施形態に係る画像形成システムの構成要素として、印刷制御装置４の代わりに画像処理装置（不図示）を用い、画像処理装置に、操作情報取得機能及び操作情報の印刷設定への変換機能を持たせてもよい。
【０１５７】
［第４の実施形態］
次に、図１６を参照して、本発明の第４の実施形態に係る画像形成装置１Ｃの構成例について説明する。図１６は、本発明の第４の実施形態に係る画像形成装置１Ｃの構成例を示すブロック図である。
【０１５８】
画像形成装置１Ｃは、画像読取部１１、操作パネル１２、画像処理部１３、画像形成部１４、印字部１５、通信Ｉ／Ｆ部１７、制御部１８Ｃ、記憶部１９Ｃ、スピーカー２０及び距離センサー３０を備える。
【０１５９】
つまり、本実施形態に係る画像形成装置１Ｃは、操作情報の取得機能、操作情報の印刷設定への変換機能、ユーザーＵからの操作の受付、及び、ユーザーＵへの通知機能を担う各ブロックを、すべて有する。
【０１６０】
次に、図１７及び図１８を参照して、上述した実施形態２〜４における、画像形成装置１Ａ〜Ｃの操作パネル１２の画面の表示例と印刷結果との対応例について説明する。図１７は、レイアウト設定が「見たまま」に設定された場合における、操作パネル１２の画面の表示例と印刷結果との対応例を示す説明図である。図１８は、レイアウト設定が「オフ」である場合における、操作パネル１２の画面の表示例と印刷結果との対応例を示す説明図である。
【０１６１】
図１７及び図１８に示す操作パネル１２は、印刷プレビュー画面が表示される表示部１２１を有する。表示部１２１は、例えばタッチパネル等で構成され、印刷プレビュー画面を表示するとともに、ユーザーＵからの操作が入力される。表示部１２１の印刷プレビュー画面の表示領域の右下部分には、プラスボタンＢ３及びマイナスボタンＢ４が形成される。プラスボタンＢ３は、印刷プレビュー画面における画面の表示倍率を拡大するためのボタンであり、マイナスボタンＢ４は、画面の表示倍率を縮小するためのボタンである。ユーザーＵは、操作パネル１２のプラスボタンＢ３又はマイナスボタンＢ４を押下することにより、印刷プレビュー画面に表示される文字及び／又は画像の表示倍率や文字サイズ等を、自分の好みの（自分にとって視認性の高い）ものに変更することができる。
【０１６２】
印刷プレビュー画面の表示領域の下方の領域には、印刷ボタンＢ５及びキャンセルボタンＢ６が形成される。印刷ボタンＢ５は、画像形成装置１Ａ〜Ｃに対して印刷の実行を指示するためのボタンであり、キャンセルボタンＢ６は、操作内容をキャンセルするためのボタンである。
【０１６３】
図１７に示す、レイアウト設定が「見たまま」に設定された場合における表示例においては、操作パネル１２の印刷プレビュー画面での画面の表示倍率が拡大されており、「春はあけぼの」で始まる文章が、大きなフォントで表示されている。このような表示が行われている状態で、ユーザーＵによって操作パネル１２の印刷ボタンＢ５が押下されると、操作情報取得部２４１又は４２１又は１８２によって、画面の表示倍率、文字ポイントサイズ等の操作情報が取得される。
【０１６４】
そして、印刷設定変換部１８１又は４２２によって、操作情報が印刷設定情報に変換され、変換された印刷設定情報が印刷設定に反映される。ここで、レイアウト設定が「見たまま」に設定されている場合、操作パネル１２に印刷プレビュー画面として表示中の画面の表示倍率、及び、文字ポイントサイズが、印刷設定にそのまま変換される。それゆえ、図１７に印刷結果として示すように、印刷物Ｐｒにも、印刷プレビュー画面で表示されているものと同じ表示倍率及び文字ポイントサイズで印字が行われる。
【０１６５】
一方、レイアウト設定が「オフ」の設定となっている場合には、従来と同様に、図１８の操作パネル１２の印刷プレビュー画面に示されている、印刷される文書データに元々設定されている文字サイズで、印刷物Ｐｒの文字も印字される。
【０１６６】
つまり、上述の第２〜第４の実施形態においても、第１の実施形態と同様の効果を得ることとができる。すなわち、ユーザーＵの操作に基づいて変更された画面設定を、印刷設定に反映させることができる。
【０１６７】
＜各種変形例＞
以上、本発明の第１〜第４の実施形態に係る印刷制御装置、画像形成装置、画像形成システム、及び、印刷設定変更方法について説明したが、本発明は上記各実施形態に限定されない。本発明の構成は、特許請求の範囲に記載した本発明の要旨を逸脱しない限りその他種々の変形例、応用例の構成を取り得る。例えば、次のような各種変形例も本発明に含まれる。
【０１６８】
上記各実施形態では、操作情報取得部が、操作情報として、画面の表示倍率、文字ポイントサイズ、画面に表示中（使用中）のアプリケーションの種類、視距離Ｄ等を取得する例を説明したが、本発明はこれに限定されない。例えば、操作情報取得部は、操作情報として、文字の太さ、フォントの種類、フォントの色等の情報等を取得してもよい。また、操作情報取得部は、操作情報として、画面に表示されている画像の、画像データにおける位置（座標）の情報等を取得してもよい。
【０１６９】
ここで、図１９を参照して、携帯端末２の表示操作部２２の画面に表示されている画像の、画像データにおける位置情報の例について説明する。図１９は、表示操作部２２の画面に表示されている画像の、画像データにおける位置情報の例を示す説明図である。
【０１７０】
図１９に示す携帯端末２の表示操作部２２の画面には、「春はあけ…紫だちた…夏は夜。」の文字が表示されている。また、図１９には、画面に表示されたこの部分の、画像データにおける位置は、（Ｘ１，Ｙ１）を始点として（Ｘ２，Ｙ２）を終点とする破線の矩形で表された領域であることが示されている。操作情報取得部がこのような情報を操作情報として取得することにより、画面に表示されている画像と、印刷物Ｐｒに印字される画像とを正確に対応付けることが可能となる。
【符号の説明】
【０１７１】
１，１Ａ，１Ｂ，１Ｃ…画像形成装置、２，２Ａ…携帯端末、３…端末装置、４…印刷制御装置、１１…画像読取部、１２，１２Ｂ…操作パネル、１３…画像処理部、１４…画像形成部、１５…印字部、１６…排紙トレイ、１７…通信Ｉ／Ｆ部、１８，１８Ａ，１８Ｂ，１８Ｃ…制御部、１９，１９Ａ，１９Ｃ…記憶部、２０…スピーカー、２１…通信Ｉ／Ｆ部、２２…表示操作部、２３…距離センサー、２４，２４Ａ…制御部、２５，２５Ａ…記憶部、２６…スピーカー、３０…距離センサー、４１…通信Ｉ／Ｆ部、４２…制御部、４３…記憶部、１００，１００Ａ，１００Ｂ…画像形成システム、１２１…表示部、１８１…印刷設定変換部、２４１…操作情報取得部、２４２…印刷設定変換部、４２１…操作情報取得部、４２２…印刷設定変換部
【図１】
2019046024.tif 000003
【図２】
2019046024.tif 000004
【図３】
2019046024.tif 000005
【図４】
2019046024.tif 000006
【図５】
2019046024.tif 000007
【図６】
2019046024.tif 000008
【図７】
2019046024.tif 000009
【図８】
2019046024.tif 000010
【図９】
2019046024.tif 000011
【図１０】
2019046024.tif 000012
【図１１】
2019046024.tif 000013
【図１２】
2019046024.tif 000014
【図１３】
2019046024.tif 000015
【図１４】
2019046024.tif 000016
【図１５】
2019046024.tif 000017
【図１６】
2019046024.tif 000018
【図１７】
2019046024.tif 000019
【図１８】
2019046024.tif 000020
【図１９】
2019046024.tif 000021